(57)【特許請求の範囲】
【請求項１】
把持部を有するハンドル体の先端に、ブラシ体の基端部を埋設包囲する包埋部を介して前記把持部の軸線と交叉する方向に前記ブラシ体を突設した歯間ブラシと、
前記ハンドル体の先端に位置する包埋部及びブラシ体を収容するキャップであって、前記収容される包埋部からハンドル体の基端へと延びる側に、前記包埋部及びブラシ体が非接触に通過しえる開口部を有しており、前記包埋部及びブラシ体に対し、該ブラシ体の側方から前記開口部を通じて、余裕空間を残しつつハンドル体の軸方向にほぼ沿って嵌脱自在に冠着するキャップと、
からなるキャップ付き歯間ブラシ。
【請求項２】
前記キャップが、内壁に前記包埋部及びブラシ体を定姿勢で保持する姿勢保持手段を備えている請求項１記載のキャップ付き歯間ブラシ。
【請求項３】
前記包埋部がハンドル部先端に膨出して形成されるとともに、前記包埋部表面に加圧接触するようキャップ内壁に形成した当接面が前記姿勢保持手段の一部を構成している請求項２記載のキャップ付き歯間ブラシ。
【請求項４】
前記包埋部が、ブラシ体の軸線に対して平行な周面を有する基底部と、該基底部からブラシ体に向かって漸次縮径する縮径部とからなり、前記包埋部を受け入れるキャップ内壁に備えられた姿勢保持手段が、前記包埋部の基底部周面及び縮径部周面に密着状態で加圧接触する内周面と、縮径部中途位置に対応してキャップ内壁に立設した規制リブとからなる請求項２又は３記載のキャップ付き歯間ブラシ。
【請求項５】
前記ブラシ体の外形輪郭が、包埋部の外形輪郭よりも外側に張り出している請求項１〜４の何れか１項に記載のキャップ付き歯間ブラシ。
【請求項６】
包埋部が収容される部分のキャップ深さが、ブラシ体が収容される部分のキャップ深さよりも深い請求項１〜５の何れか１項に記載のキャップ付き歯間ブラシ。
【発明の詳細な説明】
【０００１】
【発明の属する技術分野】
本発明はキャップ付き歯間ブラシに関し、更に詳しくは、通気性及び着脱容易性に優れたキャップ付き歯間ブラシに関する。
【０００２】
【従来の技術】
従来から歯と歯の間の食物残渣や歯垢を効率よく除去する清掃具として電動又は手動の歯間ブラシが使用されている。特に手動の歯間ブラシは、フィラメントの束を挟み込んだステンレス鋼線を螺旋状に捻って形成したブラシ体と、該ブラシ体を先端で一端保持したハンドル体とから構成されており、近年においては、口腔内奥の歯間清掃をも容易とするために、前記ブラシ体を前記ハンドル体に略垂直な方向に突設したＬ型の歯間ブラシが主流となりつつある。
【０００３】
通常、前記歯間ブラシには、図５に示す如く、ブラシ体１１２を覆う略円筒形状のキャップ１２０が着脱自在に装着され、携帯時又は保管時の該ブラシ体１１２の損傷及び汚れの付着を防止している。これら従来のキャップ１２０は、一端に通気孔１２３を穿設するとともに他端に前記ブラシ体１１２を軸方向に沿って挿通するための開口部１２１を設けてなり、ブラシ体基端部１１４を埋設包囲している包埋部１１３の周壁に前記キャップ１２０の開口周縁部１２２を嵌着保持させることでハンドル体１１１に装着するものである。
【０００４】
【発明が解決しようとする課題】
しかし、このようなキャップ１２０を外径寸法の大きなブラシ体１１２に装着する場合、前記開口周縁部１２２を直接支持する包埋部１１３の寸法は必然的に大きくなる。包埋部１１３の大きな歯間ブラシ１１０を用いて口腔内奥の狭い箇所を清掃する際には、ハンドル体１１１先端に位置している前記包埋部１１３が口腔内壁に衝突して操作範囲が限定されることとなり、非常に使いにくいといった問題があった。
【０００５】
一方、特開平９−２２４７４５号には、図６に示す如く、開口端の一側部にＵ字状部材１２４を設け、ハンドル体１１１先端の前記包埋部１１３に連続している首部１２５に前記Ｕ字状部材１２４を嵌め込むことでハンドル体１１１に装着するように構成したキャップ１２０が開示されている。この様なキャップ１２０を用いれば、前記包埋部１１３の形状がキャップ開口部１２１の形状と無関係に自由に設定でき、該包埋部１１３の小径小型化が可能となる。しかし、前述の従来のキャップ１２０と同様に、円筒状のキャップ１２０内壁に該キャップ１２０とハンドル体１１１との相対的な移動を規制する突起等を成形することは容易ではなく、特に、ハンドル体１１１軸方向の相対移動を規制するためには、該ハンドル体１１１の首部１２５にキャップ１２０用の新たな係止手段を設ける必要が生じる。
【０００６】
また、以上示した歯間ブラシ用キャップ１２０は、何れにおいてもブラシ体１１２を前記開口部１２１から軸方向に沿って挿通するものであり、該ブラシ体１１２をキャップ１２０内壁に当接させることなく装着することは難しく、さらに、Ｌ型歯間ブラシ１１０においてはキャップ１２０の脱着方向と把持部１１５の軸線方向とが略直交するため、キャップ１２０の抜脱の際、前記ブラシ体１１２を軸方向に沿って真直に引き抜くことが難しく、キャップ開口部１２１などに前記ブラシ体１１２が衝突し、その基端部１１４から大きく折曲してしまうといったことが生じていた。
更に、前記開口部１２１以外に通気用の開口部を設けることは、キャップ１２０側面が把持部としての機能を有する都合上、強度の面からその開口面積に自ずと限界があり、使用後のブラシ体１１２の乾燥性は非常に悪いものであった。
【０００７】
本発明はかかる現況に鑑みなされたもので、乾燥性に優れ且つブラシ体からキャップを脱着するに際してブラシ体が破損するおそれがないキャップ付き歯間ブラシを提供せんとするものである。
【０００８】
【課題を解決するための手段】
本発明者は前述の課題を解決するにあたり鋭意検討を進めた結果、ブラシ体の側方からキャップを冠着してなる構成とすることで脱着時にキャップ内でのブラシ体の移動距離を短くでき、従って該ブラシ体を不用意にキャップ内壁に接触させることなく容易に脱着させることができることを見出し、本発明を完成するに至った。
【０００９】
すなわち本発明は、把持部を有するハンドル体の先端に、ブラシ体の基端部を埋設包囲する包埋部を介して前記把持部の軸線と交叉する方向に前記ブラシ体を突設した歯間ブラシと、前記ハンドル体の先端に位置する包埋部及びブラシ体を収容するキャップであって、前記収容される包埋部からハンドル体の基端へと延びる側に、前記包埋部及びブラシ体が非接触に通過しえる開口部を有しており、前記包埋部及びブラシ体に対し、該ブラシ体の側方から前記開口部を通じて、余裕空間を残しつつハンドル体の軸方向にほぼ沿って嵌脱自在に冠着するキャップと、からなるキャップ付き歯間ブラシを提供することにある。
【００１０】
ここに、前記把持部は指を添える部分であり、通常ハンドル体の長手方向略中央付近又は基端から前記中央にわたる所定範囲に設けられ、突起等により滑り止めを施したものが一般的である。この把持部の軸線とブラシ体の突設方向との交叉関係は、口腔内での歯間ブラシの操作性に直接影響を及ぼし、Ｌ型歯間ブラシの場合には、その交叉角はほぼ７０〜１３０度の範囲で設定される。一方、ブラシ体基端部を略垂直に支持しているハンドル体先端には、該ブラシ体の抜け落ちを防止するために該ブラシ体に沿って所定長さ延出した包埋部が設けられており、該包埋部はブラシ体基端部のワイヤーを充分な長さ抱持して該ブラシ体を密着保持している。
【００１１】
以上のキャップ付き歯間ブラシにあっては、キャップ脱着時に該キャップ内でブラシ体が移動する距離が該ブラシ体外径寸法の１〜２倍程度となり、軸方向に挿通する従来の場合に比べて前記移動距離が格段に短くなる。したがって、抜き差し動作に伴い該ブラシ体がキャップ内壁に衝突して折損するといったことも無くなり、容易に脱着可能となる。
さらに、キャップ深さが浅いことで内部に突起等を成形することが容易になるとともに、キャップ開口部を嵌着構造から完全に独立させることができ、前記包埋部及びブラシ体を側方から挿通する際に該ブラシ体との間に十分な余裕空間をもった自由な開口形状に設定することが可能である。このような大きな開口を備えたキャップを装着する歯間ブラシは、着脱容易性とともに通気性にも優れており、使用後にブラシ体が湿っている状態で前記キャップを装着しても、該ブラシ体を短時間で乾燥させ、良好な衛生状態を維持することができ、更には同一寸法のキャップをＳＳサイズ、Ｍサイズ等、ブラシ体外径の異なる複数種類の歯間ブラシに適用させることが可能となり、コストが大幅に削減されることとなる。
また、前記キャップは、少なくとも前記包埋部からハンドル体の基端へと延びる側に前記包埋部及びブラシ体が非接触に通過する開口部を有するので、該キャップの脱着方向が把持部の軸線方向と略一致することとなり、キャップと把持部とを前記軸線方向に沿って互いに抜き差しするだけで容易に脱着可能である。また、開口部が前記包埋部及びブラシ体に非接触な形状であることから、前記キャップ脱着時にブラシ体が折れ曲がることが防止でき、該ブラシ体を構成しているフィラメントに前記開口部の汚れが付着するといったことも未然に防止できる。
【００１２】
ここで、キャップ内壁には前記包埋部及びブラシ体を定姿勢に保持する姿勢保持手段を備えていることが好ましい。このようなキャップ付き歯間ブラシにあっては、キャップ内壁に備えられた姿勢保持手段によって包埋部及びブラシ体が定姿勢に保持されるため、キャップ保持状態が安定し、キャップ内壁にブラシ体が当接してフィラメントに汚れが付着したり、毛ぐせが付いたりするといったことが防止できる。
【００１３】
また、前記ハンドル体先端の包埋部が該ハンドル体先端に膨出して形成されるとともに、前記包埋部表面に加圧接触するようキャップ内壁に形成した当接面が、前記姿勢保持手段の一部を構成していることが好ましく、特に、前記包埋部が、ブラシ体の軸線に対して平行な周面を有する基底部と該基底部からブラシ体に向かって漸次縮径する縮径部とからなり、前記包埋部を受け入れるキャップ内壁に備えられた姿勢保持手段が、前記包埋部の基底部周面及び縮径部周面に密着状態で加圧接触する内周面と、包埋部の縮径部中途位置に対応してキャップ内壁に立設した規制リブとからなることが好ましい実施例である。
【００１４】
このようなキャップ付き歯間ブラシにあっては、包埋部との主要な嵌合構造をキャップ内壁に備えるため、該キャップの開口部は前記包埋部及びブラシ体を挿通し得る大きさであれば自由な形状に設定でき、一方、前記包埋部は、キャップ内壁の嵌合構造を対応させることにより小径小型なものが採用できる。
そして、前記基底部周面及び縮径部周面に加圧接触するキャップ内周面により、該キャップの抜け落ちとともにブラシ体の軸垂直な方向への揺動が規制され、前記内周面のうち特に前記縮径部周面に加圧接触する部分は、キャップ内でのブラシ体の先端方向への移動をも規制する。
また、上記縮径部中途位置に対応してキャップ内壁に立設する規制リブは、前述のブラシ体の軸垂直な方向の揺動のうち特にキャップ底部に向かう方向の揺動を確実に規制し、ブラシ体のキャップ内壁への当接による毛ぐせの発生及び汚れの付着を未然に防止する。また、前記規制リブによりキャップの強度が増大するため、該キャップに新たな開口部を支障なく設けることが可能となる。
更に、前記包埋部のブラシ体側端部が縮径した縮径部を形成しているため、該包埋部が歯又は歯茎に当接することが少なくなり、ブラシ体の略全長を使って歯間清掃することが可能となる。
【００１５】
以上のキャップ付き歯間ブラシによれば、小径小型な包埋部に様々なサイズのブラシ体を突設することができ、該ブラシ体の外径輪郭が包埋部の外径輪郭よりも外側に張り出しているキャップ付き歯間ブラシが得られる。このような歯間ブラシを用いて歯間清掃する際には、前記包埋部を口腔内に衝突させることなく口腔内奥の狭い部位まで手際よく清掃することが可能となる。
【００１６】
また、包埋部が収容される部分のキャップ深さは、ブラシ体が収容される部分のキャップ深さよりも深く設定することが好ましい。このようなキャップ付き歯間ブラシにあっては、キャップ装着の際には、先ずキャップ開口部と当接しても問題のない包埋部がキャップ内部に収容されて、次にブラシ体が収容されることとなるため、前記包埋部の収容位置がブラシ体収容時の位置合わせの基準となり、該ブラシ体をキャップ開口部等に当接させることなくキャップ内部に収容することが容易になる。また、包埋部の位置するキャップ側面は、歯間ブラシとキャップとを同軸に着脱する際の把持部となり、該位置のキャップ深さを深く設定することで把持し易いキャップとなる。
【００１７】
【発明の実施の形態】
次に、添付図面に示した実施例に基づき更に本発明の詳細を説明する。
【００１８】
図１は本発明のキャップ付き歯間ブラシの代表的実施例を示し、図中２は歯間ブラシ、３はキャップをそれぞれ示している。
【００１９】
本発明に係るキャップ付き歯間ブラシは、ブラシ体を折損することなく容易に脱着できるとともにブラシ体の乾燥性に優れたキャップを着脱自在に備えた歯間ブラシであり、本実施例のキャップ付き歯間ブラシ１は、把持部４１を有するハンドル体４の先端に、包埋部４２を介してブラシ体５を突設してなるＬ型の歯間ブラシ２と、前記包埋部４２及びブラシ体５に、側方から余裕空間を残しつつ前記ハンドル体４の軸方向にほぼ沿って嵌脱自在に冠着するキャップ３とから構成されている。
【００２０】
前記把持部４１は、ハンドル体４の基端から略中央にわたる位置に、該ハンドル体４の周方向に沿って等間隔で設けられた長手方向に延びる複数の突条４３、…を形成している。また、その把持部周面には周方向に３〜５ｍｍ程度の幅をもった軸方向に長くされた平坦面４４、４４がブラシ体突出方向の前面及び後面に形成されている。前記複数の突条４３、…は、歯間清掃時に前記把持部を手の中で回転させる際の滑り止めとして機能し、前記平坦面４４、４４は、奥歯などの清掃時に親指と人差指でもってハンドル体を把持する際の把持部となり、この場合、前記親指又は人差指の背面が常にブラシ体の突設方向を向くため、鏡で確かめるまでもなく前記ブラシ体の突設方向を正確に把握、修正することができ、該ブラシ体を的確且つ容易に歯間に挿通できる。尚、前記平坦面４４、４４の底面には適宜突起などの滑り止め手段を施し、前記親指及び人差指の滑りによる移動を防止することが好ましい。
【００２１】
前記ブラシ体５は、直径０．１５〜０．４ｍｍ程度のステンレス製の金属ワイヤーを２つ折りにしてフィラメントの束を挟み込み且つ螺旋状に捻ることで、先端から長手方向８〜１６ｍｍの範囲に前記フィラメントを螺旋状に植設して形成され、前記フィラメント植設部分のブラシ体外形輪郭は、外径寸法略１ｍｍから８ｍｍの範囲内で、同径に延びた略円柱形状、一部又は全体が先端に向かい随時縮径した略円錐台形状、先端に向かう途中部に縮径した括れ部を有する鼓形状など、様々な形状に設定される。
そしてブラシ体５は、前記ハンドル体４の先端からハンドル体の軸線に対して略直角な方向に突設され、結果的に前記把持部４１の軸線４１ａに対して７０〜１３０度、好ましくは９０〜１３０度の交叉角で交叉する方向に突設されている。前記ブラシ体５の把持部に対する角度を前記範囲とするのは、前記交叉角が７０度より小さいか１３０度より大きいと、前記ブラシ体５を特に口腔内奥の歯間へ略垂直に挿通することが難しいためである。これに対して前記交叉角が９０度以上であれば、口腔内奥の歯間清掃が容易になる。このような交叉角は、前記ハンドル体４における把持部４１から先端に至る部分を屈曲させることにより容易に達成される。
【００２２】
前記ブラシ体基端部５１を埋設包囲する包埋部４２は、ブラシ体５の軸線に対して平行な周面を有する略円柱状の基底部４５と該基底部４５からブラシ体５に向かって漸次縮径する略錐体状の縮径部４６とからなり、前記ハンドル体４先端に該ブラシ体５に沿って所定長さ延出して成形されることでブラシ体基端部５１を十分な接触長さを有して把持し、ステンレス製の金属ワイヤーからなる該ブラシ体基端部５１を充分な抜け強度で密着保持している。
【００２３】
次に、前記キャップ３には、図２にも示す如く、前記歯間ブラシ２に装着された状態で、前記包埋部４２からハンドル体４基端へと延びる側に該包埋部４２及びブラシ体５が非接触に通過し得る開口部３１が形成され、且つキャップ内壁には前記包埋部４２及びブラシ体５を定姿勢に保持する姿勢保持手段３２が形成されている。該姿勢保持手段３２としては、前記包埋部４２の基底部４５及び縮径部４６の周面に密着状態で加圧面接触する内周面３３と、前記縮径部４６の中途位置に対応して立設した規制リブ３４が、キャップ内壁に形成されている。
【００２４】
前記内周面３３のうち前記基底部４５に面接触する部分は、図３に横断面で示す如く、前記基底部４５周面の半周以上を握持する形状とすることで係止部３５を構成しており、該係止部３５は、キャップ装着の際に押し広げられることで前記基底部４５を通過させた後、そのまま該基底部４５を内周面３３に加圧密着させてキャップ３の抜け落ちを防止し、使用者は前記基底部４５が係止部３５を通過する際のクリック感により、キャップ装着完了を確認することができる。
また、前記内周面３３は、上記の如くキャップの抜け落ちを防止するとともに、ブラシ体の軸垂直な方向への揺動を規制し、特に前記縮径部周面に面接触する部分は、ブラシ体の先端方向への移動を規制している。
前記規制リブ３４は、ブラシ体５の軸垂直な方向への揺動のうち特にキャップ底部３６への揺動を規制し、キャップ後端壁３７は、ブラシ体５の軸垂直な方向への揺動を禁止して該ブラシ体がキャップ開口部から露出することを規制している。尚、本実施例は規制リブ３４を１つのみ立設する場合を示しているが、本発明はこれに限らず２本以上立設してもよく、その場合にはキャップ強度を更に向上させることができる。また、前記規制リブ３４の形状も特に限定されず、例えば図４に示す如く、その端面に縮径部に係合する凹溝３８を設け、前述のブラシ体５のキャップ底部３６への揺動とともに側壁３９、３９への揺動をも規制できるものも好ましい。
【００２５】
以上の如くキャップ内壁の姿勢保持手段３２により包埋部４２及びブラシ体５が定姿勢で保持されることで、キャップ保持状態が安定するとともにキャップ内壁にブラシ体５が接触してフィラメント５２、…に汚れが付着したり毛ぐせが付いたりすることが防止される。
また、キャップ３はブラシ体５側方から嵌着されるので、該ブラシ体５のサイズと無関係に前記包埋部４２の大きさを任意に設計することができる。従って口腔内での操作性を第一義的に重視した小径小型な包埋部とすることができる。
そして、ブラシ体と側壁との隙間を大きく設定し、且つ前述の姿勢保持手段３２のキャップ底部からの高さやキャップ周壁寸法を調整することで、前記小径小型な包埋部に大径のブラシ体を埋設保持させた歯間ブラシに対してもキャップを問題なく装着させることができ、同一寸法のキャップをＳＳサイズやＭサイズ等の複数サイズの歯間ブラシに適用させることが可能となって、コストが大幅に削減される。
【００２６】
また、開口部３１に隣接するキャップ３の深さ、即ちキャップ側壁３９、３９の高さは、包埋部４２が収容される部分３９ａを高く、ブラシ体５が収容される部分３９ｂを低く設定されている。前記包埋部４２が収容される部分３９ａはキャップ３を手で把持する際の把持部として機能する部分であり、その外表面には滑り止め用の突起若しくはスリット等を設けることが好ましい。前記ブラシ体５が収容される部分３９ｂは該ブラシ体５を保護する部分であり、装着時にフィラメント５２の毛先から開口部３１までの距離を最低限１〜２ｍｍ有していることが好ましく、その高さはキャップ底部の厚さを除いてブラシ体最大外径の１．１〜１．５倍程度が特に好ましい高さとなる。
【００２７】
互いに嵌合関係にある前記包埋部及びキャップの素材は、硬さの異なる合成樹脂を用いることが好ましく、特に前記包埋部の素材としてポリエチレン樹脂を用い且つ前記キャップの素材としてポリプロピレン樹脂を用いることで、包埋部をキャップよりも柔らかく成形することが好ましい。硬さを相違させるのは、クリック感をもった弾性嵌入を可能にするためであり、キャップの方をより硬くするのは開口があっても保形強度が維持でき指先で把持して行うキャップの抜き差し動作に対してもキャップが変形しないようにするためである。
【００２８】
尚、本発明に係るキャップ付き歯間ブラシは、前述の如くブラシ体の側方から余裕空間を残してハンドル体の軸方向にほぼ沿って嵌脱自在に冠着するキャップを備えておれば、その形状は特に限定されず、例えば、包埋部基底部を三角柱、四角柱、若しくはその他の多角柱形状、又は球形状とし、且つ縮径部を前記基底部に応じた角錐などの形状としたものや、包埋部に縮径部を設けないものであってもよい。この場合、前記キャップ内壁の姿勢保持手段は、前記包埋部に面接触する形状で且つ抜け落ち防止用の係止部を備えてなるものが好ましい実施例である。
【００２９】
【発明の効果】
本発明のキャップ付き歯間ブラシによると、キャップ脱着の際にブラシ体が前記キャップ内で移動する距離が短いので、抜き差し動作に伴い該ブラシ体がキャップ内壁に衝突して折損するといったことも無くなり、容易に脱着可能となる。
また、キャップ深さが浅いことで内部に突起等を成形することが容易になるとともに、キャップ開口部を嵌着構造から完全に独立させることができ、前記包埋部及びブラシ体を側方から挿通する際に該ブラシ体との間に十分な余裕空間をもった自由な開口形状に設定することができる。そして、このような大きな開口を備えていると、着脱容易性とともに通気性にも優れ、使用後にブラシ体が湿っている状態で前記キャップを装着しても、該ブラシ体を短時間で乾燥でき、良好な衛生状態を維持することができ、更には同一寸法のキャップをＳＳサイズ、Ｍサイズ等、ブラシ体外径の異なる複数種類の歯間ブラシに適用させることが可能となり、コストを大幅に削減できる。
また、前記キャップが少なくとも前記包埋部からハンドル体の基端へと延びる側に前記包埋部及びブラシ体が非接触に通過する開口部を有するので、該キャップの脱着方向が把持部の軸線方向と略一致することとなり、キャップと把持部とを前記軸線方向に沿って互いに抜き差しするだけで容易に脱着できる。また、開口部が前記包埋部及びブラシ体に非接触な形状であることから、前記キャップ脱着時にブラシ体が折り曲がることが防止でき、該ブラシ体を構成しているフィラメントに前記開口部の汚れが付着するといったことも未然に防止できる。
【００３０】
ここで、キャップ内壁には前記包埋部及びブラシ体を定姿勢に保持する姿勢保持手段を備えていると、キャップ内壁に備えられた姿勢保持手段によって包埋部及びブラシ体が定姿勢に保持されるため、キャップ保持状態が安定し、キャップ内壁にブラシ体が当接してフィラメントに汚れが付着したり、毛ぐせが付いたりするといったことが防止できる。
【００３１】
また、特に、前記包埋部が、ブラシ体の軸線に対して平行な周面を有する基底部と該基底部からブラシ体に向かって漸次縮径する縮径部とからなり、前記包埋部を受け入れるキャップ内壁に備えられた姿勢保持手段が、前記包埋部の基底部周面及び縮径部周面に密着状態で加圧接触する内周面と、包埋部の縮径部中途位置に対応してキャップ内壁に立設した規制リブとからなると、キャップの開口部を前記包埋部及びブラシ体を挿通し得る大きさであれば自由な形状に設定できる一方で、前記包埋部は小径小型なものを採用し、該包埋部を口腔内に衝突させることなく口腔内奥の狭い部位まで手際よく清掃することができる。
そして、前記姿勢保持手段により、キャップの抜け落ちとともに該キャップ内でのブラシ体の軸垂直な方向への揺動及び軸方向に沿った先端方向への移動を規制して前記ブラシ体のキャップ内壁への当接による折損、毛ぐせの発生及び汚れの付着を未然に防止する。また、前記規制リブによりキャップの強度が増大し、該キャップに新たな開口部を支障なく設けることができる。
更に、前記包埋部のブラシ体側端部が縮径した縮径部を形成していることから、ブラシ体の略全長を使って歯間清掃することができる。
【００３２】
また、包埋部が収容される部分のキャップ深さを、ブラシ体が収容される部分のキャップ深さよりも深く設定すると、包埋部の収容位置がブラシ体収容時の位置合わせの基準となり、該ブラシ体をキャップ開口部等に当接させることなく容易に収容することができる。また、包埋部の位置するキャップ側面が歯間ブラシとキャップとを同軸に着脱する際の把持部となり、把持し易いキャップとなる。
【図面の簡単な説明】
【図１】本発明に係るキャップ付き歯間ブラシの代表的実施例を示す説明図。
【図２】キャップを示す断面説明図。
【図３】キャップ内周面を示す簡略横断面図。
【図４】規制リブの変形例を示す簡略横断面図。
【図５】従来のキャップ付き歯間ブラシを示す説明図。
【図６】同じく従来のキャップ付き歯間ブラシを示す説明図。
【符号の説明】
１  キャップ付き歯間ブラシ          ２  歯間ブラシ
３  キャップ                        ４  ハンドル体
５  ブラシ体                        ３１  開口部
３２  姿勢保持手段                  ３３  内周面
３４  規制リブ                      ３５  係止部
３６  底部                          ３７  後端壁
３８  凹溝                          ３９  側壁
３９ａ  包埋部が収容される部分      ３９ｂ  ブラシ体が収容される部分
４１  把持部                        ４１ａ  軸線
４２  包埋部                        ４３  突条
４４  平坦面                        ４５  基底部
４６  縮径部                        ５１  基端部
５２  フィラメント
１００  キャップ付き歯間ブラシ      １１０  歯間ブラシ
１１１  ハンドル体                  １１２  ブラシ体
１１３  包埋部                      １１４  基端部
１１５  把持部                      １２０  キャップ
１２１  開口部                      １２２  開口周縁部
１２３  通気孔                      １２４  Ｕ字状部材
【図１】
0003617317.tif 000002
【図２】
0003617317.tif 000003
【図３】
0003617317.tif 000004
【図４】
0003617317.tif 000005
【図５】
0003617317.tif 000006
【図６】
0003617317.tif 000007